(57)【要約】【課題】  灯具によって得られる赤色光の色度が所定範囲から逸脱しにくいとともに色むらが生じない赤色電球を提供する。【解決手段】  赤色電球は、内部に空間1cが形成された包囲部1aおよび包囲部の一端に隣接したネック領域Nを有するピンチシール部1bを備えたガラスバルブ1と、ガラスバルブの包囲部の内部に封装されたフィラメント2と、ガラスバルブのピンチシール部を経由して外部へ導出され、ピンチシール部の偏平面に添設された受電端子3と、ガラスバルブから連続してピンチシール部のネック領域の外面にわたり形成された赤色フィルター膜4とを具備している。【選択図】図３
2010218854.tif 000002
【特許請求の範囲】
【請求項１】
内部に空間が形成された包囲部および包囲部の一端に隣接したネック領域を有するピンチシール部を備えたガラスバルブと；
ガラスバルブの包囲部の内部に封装されたフィラメントと；
ガラスバルブのピンチシール部を経由して外部へ導出され、ピンチシール部の扁平面に添設された受電端子と；
ガラスバルブから連続してピンチシール部のネック領域の外面にわたり形成された赤色フィルター膜と；
を具備していることを特徴とする小形白熱電球。
【請求項２】
ガラスバルブは、ピンチシール部の扁平面に配設された係止部を備えており；
ピンチシール部のネック領域における赤色フィルター膜が形成される部位の終端は、ガラスバルブの包囲部とピンチシール部との境界部を起点としてそこから１ｍｍ離間した位置から係止部の上端位置までの範囲内にある；
ことを特徴とする請求項１記載の小形白熱電球。
【発明の詳細な説明】
【技術分野】
【０００１】
本発明は、自動車の尾灯などに用いることができる赤色電球に関する。
【背景技術】
【０００２】
自動車の尾灯などに用いる赤色電球は周知である（例えば、特許文献１参照。）。従来（例えば特許文献１に記載）のピンチシール部を備えた赤色電球では、バルブ主部（包囲部）にのみカラーフィルターが形成されている。なお、この種の電球は、ウエッジベース形ソケットに装着されて点灯する。また、従来の赤色電球には、無色透明のガラスバルブに赤色フィルターを形成したものもある。
【０００３】
また、一端にマウントを封止したピンチ部を有する小形電球のバルブ外表面に着色被膜を形成してバルブを着色する着色小形電球の製造方法において、小形電球のピンチ部を挟持し、このピンチ部を下にして塗料に浸漬し、バルブ外表面に塗料を塗布したのち、ピンチ部に溜まった塗料を吸引除去し、その後ピンチ部を塗料溶解液に浸漬してピンチ部に付着する塗料を溶解除去するようにした製造方法は、既知である（特許文献２参照。）。
【０００４】
以上のように、先行技術においては、バルブの主部（包囲部）にのみ着色フィルターを形成し、ピンチシール部には着色フィルターを形成しない構造であった。
【先行技術文献】
【特許文献】
【０００５】
【特許文献１】特開２００３−０１７００７号公報
【特許文献２】特開２００３−０８６１４８号公報
【発明の概要】
【発明が解決しようとする課題】
【０００６】
ところが、従来のピンチシール部を備えた赤色電球をウエッジベース形ソケットに装着して点灯すると、赤色フィルターには問題がないのにもかかわらず灯具から放射される照明光の色度が所定範囲を逸脱しやすいことが分かった。
【０００７】
そこで、本発明者がその原因を調査した結果、以下の事実が判明した。すなわち、フィラメントから放射された白色光がピンチシール部を経由して漏出して、ソケットとピンチシール部との間に形成される隙間から灯具内へ放射され、赤色フィルターを経由した赤色光と上記白色光とが混光した照明光となる。そのために、灯具によって得られる照明光の色度が例えば自動車用としての赤色光の規格を満足しなくなる。特に赤色電球の場合には、白色光の赤色光との混光に与える影響が大きくなり、その結果得られる赤色光の色度が所望範囲からのずれが生じやすいという問題がある。また、赤色光と白色光が分離して配光に色むらを生じることもある。
【０００８】
なお、ガラスバルブのピンチシール部を含めて全面に着色フィルター膜を形成した場合は、受電端子にも着色フィルター膜が形成されるので、ソケットに装着したときに受電端子との間に接触不良を生じやすくなる。
【０００９】
本発明は、灯具によって得られる赤色光の色度が所定範囲から逸脱しにくいとともに色むらが生じない赤色電球を提供することを目的とする。
【００１０】
また、本発明は、赤色フィルター膜が剥がれることによる接触不良などをひきおこすことのない赤色電球を提供することを他の目的とする。
【課題を解決するための手段】
【００１１】
上記課題を解決するために、本発明の赤色電球は、内部に空間が形成された包囲部および包囲部の一端に隣接したネック領域を有するピンチシール部を備えたガラスバルブと；ガラスバルブの包囲部の内部に封装されたフィラメントと；ガラスバルブのピンチシール部を経由して外部へ導出され、ピンチシール部の扁平面に添設された受電端子と；ガラスバルブから連続してピンチシール部のネック領域の外面にわたり形成された赤色フィルター膜と；を具備していることを特徴としている。
【発明の効果】
【００１２】
本発明によれば、赤色フィルター膜がガラスバルブの包囲部からピンチシール部のネック領域の外面にわたり連続して形成されていることにより、フィラメントから放射された白色光がピンチシール部を経由して漏出する際に、ネック領域の赤色フィルター膜によって赤色光に変換されるので、ソケットとピンチシール部との間に形成される隙間から灯具内へ放射される光も赤色光になるから、ピンチシール部を経由して漏出する白色光の混光が生じなくなり、照明光としての赤色光の色度が所定範囲から逸脱しにくいとともに色むらが生じない赤色電球を提供できる効果を奏する。
【００１３】
また、本発明によれば、赤色フィルター膜が剥がれることによる接触不良などをひきおこすことのない赤色電球を提供できる効果を奏する。
【図面の簡単な説明】
【００１４】
【図１】本発明の第１の実施形態に係る、（ａ）は正面図、（ｂ）は側面図、（ｃ）は底面図である。
【図２】本発明の第１の実施形態における実施例１および比較例１の赤色電球をウエッジベース形ソケットに装着して点灯したときの赤色色度の測定値に基づいて作成した色度図である。
【図３】本発明の第２の実施形態に係る中央断面正面図である。
【図４】同じくソケットに装着したときの光学作用を説明する中央断面正面図である。
【発明を実施するための形態】
【００１５】
以下、図面を参照して本発明を実施するための形態を説明する。
【００１６】
本発明の第１の実施形態において、赤色電球は、図１に示すように、ガラスバルブ１、フィラメント２、受電端子３および赤色フィルター膜４を具備している。
【００１７】
ガラスバルブ１は、包囲部１ａおよびピンチシール部１ｂを備えている。包囲部１ａは、外気に対して気密に封止された内部空間１ｃが内部に形成されていて、内部空間１ｃの所定位置にフィラメント２を配設している。また、リード線などの関連部材も適宜収納されている。さらに、包囲部１ａの内部には、アルゴン（Ａｒ）、クリプトン（Ｋｒ）またはキセノン（Ｘｅ）のような希ガスや窒素などの不活性ガスを封入して、フィラメント２の蒸発、飛散を抑制して、寿命を長くしている。なお、本発明は、外径が５〜２０ｍｍ程度のガラスバルブ１に好適である。ピンチシール部１ｂは、包囲部１ａの一端に隣接して形成されていて、その両面に対向する一対の扁平面１ｂ１を有している。
【００１８】
また、扁平面１ｂ１には、後述する受電端子３および係止部１ｂ２、１ｂ３が配設されている。係止部１ｂ２は、図示しないソケット内に配設した係止舌片と係合して赤色電球がソケットから不所望に脱落しないように作用する。これに対して、係止部１ｂ３は、ソケット内に配設した他の係止舌片と係合して赤色電球のソケット内への挿入深さを規定する。そうして、係止部１ｂ２、１ｂ３がピンチシール部１ｂの一対の扁平面１ｂ１に配設されていることにより、赤色電球がソケットの所定の挿入深さで装着することができる。
【００１９】
さらに、ピンチシール部１ｂは、包囲部１ａとの境界部Ｂに隣接するネック領域Ｎを有している。本発明の好ましい態様において、上記ネック領域Ｎは、ガラスバルブ１の包囲部１ａとピンチシール部１ｂとの境界部Ｂから管軸方向に沿ったピンチシール部１ｂに配設した係止部１ｂ２、１ｂ３の図において上端までの範囲である。
【００２０】
係止部１ｂ２、１ｂ３は、図においては突起であるが、ソケット側との係合を企図しているのであれば、その一部または全部が凹段部であってもよい。
【００２１】
フィラメント２は、タングステンなどの耐火性金属線などのコイルからなり、単一または複数を適宜配設することができる。本形態においては、主複一対のフィラメント２ａ、２ｂからなり、そのそれぞれが包囲部１ａ内の空間１ｃの所定位置に離間して配設されている。そして、フィラメント２ａ、２ｂへの通電を外部回路側で選択して切り換えることにより、選択されたフィラメント２ａまたは２ｂが個別に発熱し、白熱状態を呈して白色発光する。
【００２２】
受電端子３は、フィラメント２に給電するための手段であるが、主副一対のフィラメント２ａ、２ｂを各別に発光させるために、２組の受電端子３ａ１、３ａ２および３ｂ１、３ｂ２がピンチシール部１ｂの扁平面１ｂ１に沿って添設されている。なお、２組の受電端子３ａ１、３ａ２および３ｂ１、３ｂ２とフィラメント２ａ、２ｂとの間には、図示を省略しているが、リード線などの関連部材も２組配設されている。
【００２３】
赤色フィルター膜４は、好ましくは三酸化第二鉄（Ｆｅ２O３）を顔料の主成分とする塗料を用いて形成されていて、フィラメント２から放射された白色光から赤色光成分を抽出して赤色光に変換する光学フィルターである。本発明においては、この赤色フィルター膜４を図において散点模様を付して示しているように、ガラスバルブ１の包囲部１ａ外面の全体に加えてピンチシール部１ｂのネック領域Ｎ外面のほぼ全域にわたって包囲部１ａの部分に連続して形成されている。
【００２４】
なお、ピンチシール部１ｂの全体に赤色フィルター膜４を形成すると、ピンチシール部１ｂに設けられた係止部１ｂ２、１ｂ３にも赤色フィルター膜４が形成される。係止部１ｂ２、１ｂ３に赤色フィルター膜４が形成されると、ソケットとの嵌合によって赤色フィルター膜４が剥がれてしまい、剥がれた赤色フィルター膜４がソケットの内部に滞留することとなり、その結果ソケットと受電端子との間の接触抵抗が増加してソケットの高熱化や導通不良を引き起こす。
【００２５】
また、赤色フィルター膜４は、ネック領域Ｎの境界部Ｂから管軸方向に沿って１ｍｍ以上の距離にわたって形成していれば、ネック領域Ｎの全体にわたって形成していない態様であっても白色光の漏出を実質的に阻止することができる。すなわち、赤色電球をソケットに装着して点灯する場合、ソケットから外部に露出するのは、必ずしもネック領域Ｎの全体ではなく、主として境界部Ｂ側の１ｍｍまでの領域が殆どである。したがって、ネック領域の少なくとも境界部Ｂ側の１ｍｍまでの領域に赤色フィルター膜４を形成すれば、本発明の効果が得られることが分かった。
【００２６】
また、ピンチシール部１ｂのネック領域Ｎに着色フィルター膜４を形成する管軸方向の距離をＬ（ｍｍ）をピンチシール部１ｂの厚みｔ（ｍｍ）としたとき、比率Ｌ／ｔがＬ／ｔ≧０．３３の条件を満足することが好ましい。すなわち、ピンチシール部１ｂの厚みｔの値が大きくなってピンチシール部１ｂが肉厚になると、包囲部１ａからピンチシール部１ｂに到達する光量が多くなるので、これに相応して距離Ｌを長く設定するのが好ましい。上記条件を満足することにより、ネック領域Ｎの全体にわたって着色フィルター膜４を形成しない場合であっても、本発明の効果を奏することができる。
【００２７】
なお、受電端子３の先端部が図示のようにネック領域Ｎに対向する位置まで延在する場合には、ネック領域Ｎの赤色フィルター膜５の赤色フィルター膜４を形成した部位に対向する部分の受電端子３に付着した赤色カラーフィルター膜は、これを除去するのが望ましい。また、赤色フィルター膜４が上記所定領域以外の領域にまで形成される塗布法を採用する場合には、塗布後に不要な領域の赤色フィルター膜４を洗浄や研磨などによって除去すればよい。さらに、不要な箇所に赤色フィルター膜４が形成されないように予めマスキングをしてから塗布することもできる。
【００２８】
本発明の赤色電球は、例えば自動車用の場合、ストップランプ、ハイマウントテールランプ、リアフォグランプなどに適用することができる。
【実施例１】
【００２９】
実施例１は、図１に示す赤色電球である。
【００３０】
ガラスバルブ：T20形バルブ、ピンチシール部の距離L=5mm、厚さt=3mm
定格        ：12V21W
フィラメント：C-6形、
主フィラメント；直流13.5V、1.85A、105lm、
副フィラメント；直流13.5V、0.44A、  8lm
赤色フィルター：色度ＪＩＳ（赤）；y≧0.335、z≦0.008
：色度ＳＡＥ（赤）；y≦0.33、ｙ≦0.98−ｘ
口金        ：W3x16d形
点灯時の色度：図２に●  実施例１で示すように、ｘ＝0.6758、ｙ＝0.3226となり、上記赤色色度規格を満たす。
［比較例１］
【００３１】
比較例１は、図１において、包囲部１ａにのみ赤色フィルター膜を形成し、ネック領域Ｎには形成しない赤色電球である。ガラスバルブのピンチシール部の距離L=0mm、厚さt=3mmである。
【００３２】
その他の仕様は実施例１と同じである。
【００３３】
点灯時の色度：図２に▲  比較例１で示すように、ｘ＝0.6656、ｙ＝0.3317となる。
上記比較例においては、点灯時にピンチシール部のネック領域から白色光が漏出して、灯具内において赤色光と白色光が混光するため、色度ｘ、ｙが１００分の１アンバー側へシフトし、色度が不所望に変化した。
図３に示す本発明の第２の実施形態は、フィラメント２が単一であり、これに伴って受電端子３が１組である点で第１の実施形態と異なる。
【００３４】
また、図４に示すように、フィラメント２から放射された図中薄墨の矢印で示す白色光の大部分が包囲部１ａに形成された赤色フィルター膜４によって濃墨の矢印で示す赤色光に変換されてから赤色電球の外部へ放射される。
【００３５】
しかし、ピンチシール部１ｂへ向かった一部の白色光がネック領域Ｎから外部へ漏出するが、本発明によれば、ネック領域Ｎにも赤色フィルター膜が形成されているので、赤色電球をソケットＳに装着したときに、ピンチシール部１ｂのネック領域Ｎの一部またはほぼ全部が外部に露出したとしても、ネック領域Ｎから漏出する光も濃墨の太い矢印に示すように赤色光になるから、赤色光の色度が所定範囲からずれたり、色むらを生じたりすることがない。なお、ソケットＳは図中輪郭のみを模式的に示している。
【符号の説明】
【００３６】
１…ガラスバルブ、１ａ…包囲部、１ｂ…ピンチシール部、１ｂ１…扁平面、１ｂ２、１ｂ３…係止部、２…フィラメント、２ａ…主フィラメント、２ｂ…副フィラメント、３、３ａ１、３ａ２、３ｂ１、３ｂ２…受電端子、４…赤色フィルター膜、Ｂ…境界部、Ｎ…、…ネック領域
【図１】
2010218854.tif 000003
【図２】
2010218854.tif 000004
【図３】
2010218854.tif 000005
【図４】
2010218854.tif 000006